(57)【要約】【課題】画面上の操作器や制御器等のオブジェクトの位置が移動する場合であっても、イベントの発生過程を再現することができるプラント用計算機装置を得る。【解決手段】表示デバイス１５の画面に表示される第１のオブジェクトをタッチパネル１６にタッチしてプラントの操作や制御を行うための第２のオブジェクトをポップアップ表示させる。第２のオブジェクトがポップアップ表示されたとき、他のオブジェクトと重なる場合、タッチアンドドラッグにより移動させる。第２のオブジェクトの位置を、移動されたときはその位置を記憶しておく。第２のオブジェクトが選択されことを判別して当該オブジェクトに対応するプラントの操作や制御などのイベントの内容と発生時刻とそのときの画面の種類を画面操作記録ファイル１３ａに記録し、必要に応じて読み出してイベントの発生過程を再現する。【選択図】図１
2009295020.tif 000002
【特許請求の範囲】
【請求項１】
表示装置とオブジェクト制御選択手段とイベント発生手段と画面操作記録ファイル記憶手段と再現手段とを有するプラント用計算機装置であって、
上記オブジェクト制御選択手段は、画面表示手段とオブジェクト表示手段と選択手段と移動手段と位置記憶手段とを有し、
上記画面表示手段は、第１のオブジェクトを含む画面を上記表示装置に表示するものであり、
上記オブジェクト表示手段は、上記第１のオブジェクトが上記選択手段により選択されたとき上記プラントの操作や制御を行うための第２のオブジェクトを上記画面に表示するものであり、
上記移動手段は、上記第２のオブジェクトをドラッグ操作することにより上記画面上の別の位置へ移動させるものであり、
上記位置記憶手段は、上記第２のオブジェクトの位置を記憶するものであり、
上記イベント発生手段は、上記第２のオブジェクトが上記選択手段により選択されたとき上記第２のオブジェクトの位置に基づいて当該第２のオブジェクトを判別して対応するイベントを発生させるものであり、
上記画面操作記録ファイル記憶手段は、上記イベントが発生したときの時刻と上記画面の種類と上記イベントの内容とを記録した画面操作記録ファイルを保存するものであり、
上記再現手段は、上記画面操作記録ファイルを読み出して上記イベントの発生過程を再現するものである
プラント用計算機装置。
【請求項２】
上記選択手段及び上記移動手段は、タッチパネルあるいはマウスであることを特徴とする請求項１に記載のプラント用計算機装置。
【請求項３】
上記第２のオブジェクトは、操作器及び制御器のうちの少なくとも一方を含むものであることを特徴とする請求項１に記載のプラント用計算機装置。
【請求項４】
プラント用計算機が設けられたものであって、上記表示装置は１台の上記プラント用計算機に対して複数設けられたものであることを特徴とする請求項１に記載のプラント用計算機装置。
【発明の詳細な説明】
【技術分野】
【０００１】
本発明は、例えば発電プラントの中央制御設備の中央計算機システムなどのプラント用計算機装置に関する。
【背景技術】
【０００２】
従来は、例えばプラントの運転制御及び監視を行うプラント制御監視装置において、プラントの運転制御操作を表示装置の画面上のタッチ操作により実行する画面タッチ操作手段と、タッチ操作した画面の種類とその画面のタッチ座標とその時刻と操作内容とを保存する画面タッチ記録ファイルとを備え、この画面タッチ記録ファイルを読み出してタッチ操作を画面上に再現可能としたものがある（例えば、特許文献１参照）。
【０００３】
【特許文献１】特開平０８−２０２４４０号公報（段落番号００１０及び図１）
【発明の開示】
【発明が解決しようとする課題】
【０００４】
従来のプラント用計算機装置は以上のように構成され、タッチ操作した画面の種類とその画面のタッチ座標とにより、画面上のどのボタンが選択されたかを判断しており、画面上に操作器や制御器等のオブジェクトがポップアップされる画面がある場合でも、画面上のオブジェクトの位置が固定であることを前提としていた。ところが、オブジェクトがポップアップされる画面があり、かつ、タッチやマウスによるドラッグ操作にて、ポップアップされたオブジェクトが移動可能となっている場合、タッチ座標データと画面表示データだけでは、オブジェクトの位置を特定できないという問題点があった。また、プラントの運転制御等を行うプラント用計算機の性能の向上により、プラント用計算機１台で複数台の表示装置を動作させるものもあるが、従来の画面タッチ記録ファイルでは、タッチ座標データと画面表示データだけでは、オブジェクトの位置を特定できず、またどの表示装置の画面からの操作なのか分からないという問題点があった。
【０００５】
この発明は上記のような問題点を解決するためになされたものであり、画面上のオブジェクトの位置が移動する場合であっても、プラントの操作や制御などのイベントの発生過程を再現することができるプラント用計算機装置を得ることを目的とする。また、複数台の表示装置を有する画面を有する場合においても、同様にプラントの操作や制御などのイベントの発生過程を再現することができるプラント用計算機装置を得ることを目的とする。
【課題を解決するための手段】
【０００６】
この発明に係るプラント用計算機装置においては、
表示装置とオブジェクト制御選択手段とイベント発生手段と画面操作記録ファイル記憶手段と再現手段とを有するプラント用計算機装置であって、
オブジェクト制御選択手段は、画面表示手段とオブジェクト表示手段と選択手段と移動手段と位置記憶手段とを有し、
画面表示手段は、第１のオブジェクトを含む画面を表示装置に表示するものであり、
オブジェクト表示手段は、第１のオブジェクトが選択手段により選択されたときプラントの操作や制御を行うための第２のオブジェクトを画面に表示するものであり、
移動手段は、第２のオブジェクトをドラッグ操作することにより画面上の別の位置へ移動させるものであり、
位置記憶手段は、第２のオブジェクトの位置を記憶するものであり、
イベント発生手段は、第２のオブジェクトが選択手段により選択されたとき第２のオブジェクトの位置に基づいて当該第２のオブジェクトを判別して対応するイベントを発生させるものであり、
画面操作記録ファイル記憶手段は、イベントが発生したときの時刻と画面の種類とイベントの内容とを記録した画面操作記録ファイルを保存するものであり、
再現手段は、画面操作記録ファイルを読み出してイベントの発生過程を再現するものである。
【発明の効果】
【０００７】
この発明は、表示装置とオブジェクト制御選択手段とイベント発生手段と画面操作記録ファイル記憶手段と再現手段とを有するプラント用計算機装置であって、
オブジェクト制御選択手段は、画面表示手段とオブジェクト表示手段と選択手段と移動手段と位置記憶手段とを有し、
画面表示手段は、第１のオブジェクトを含む画面を表示装置に表示するものであり、
オブジェクト表示手段は、第１のオブジェクトが選択手段により選択されたときプラントの操作や制御を行うための第２のオブジェクトを画面に表示するものであり、
移動手段は、第２のオブジェクトをドラッグ操作することにより画面上の別の位置へ移動させるものであり、
位置記憶手段は、第２のオブジェクトの位置を記憶するものであり、
イベント発生手段は、第２のオブジェクトが選択手段により選択されたとき第２のオブジェクトの位置に基づいて当該第２のオブジェクトを判別して対応するイベントを発生させるものであり、
画面操作記録ファイル記憶手段は、イベントが発生したときの時刻と画面の種類とイベントの内容とを記録した画面操作記録ファイルを保存するものであり、
再現手段は、画面操作記録ファイルを読み出してイベントの発生過程を再現するものであるので、
画面上のオブジェクトの位置が移動する場合であっても、プラントの操作や制御などのイベントの発生過程を再現することができるプラント用計算機装置を得ることができる。
【発明を実施するための最良の形態】
【０００８】
実施の形態１．
図１〜図７は、この発明を実施するための実施の形態１を示すものであり、図１はプラント用計算機装置の構成を示す構成図、図２は画面リクエストボタンの位置が変化する場合の画面を示す説明図、図３は操作用の画面を示す説明図、図４は操作器ポップアップ画面の移動イメージを示す説明図である。図５は、制御器ポップアップ画面の移動イメージを示す説明図、図６は操作記録ファイルの構成を示す構成図、図７は図１のプラント用計算機装置の変形例の構成を示す構成図である。
【０００９】
図１において、プラント用計算機１０はＣＰＵ１１、システム時計１２、画面操作記録ファイル記憶手段としてのＤＩＳＫ装置１３、表示装置としての表示デバイス１５及びタッチパネル１６を有する。ＤＩＳＫ装置１３には、画面操作記録ファイル１３ａが記録される。表示デバイス１５とタッチパネル１６とは一体化されている。
【００１０】
プラント用計算機１０が表示デバイス１５にて表示する画面２１には、図３に示すように、第１のオブジェクトとしての操作器リクエストボタン２２、操作器２４、制御器リクエストボタン２５、制御器２７が表示されている。操作器リクエストボタン２２は、第２のオブジェクトとしての操作器２３をポップアップするためのボタンである。第１のオブジェクトとしての制御器リクエストボタン２５は、第２のオブジェクトとしての制御器２６をポップアップするためのボタンである。操作器２４、制御器２７は画面上の固定位置である画面２１の下方の左右両側部分に表示される操作器、制御器である。
【００１１】
なお、ＣＰＵ１１及びタッチパネル１６がこの発明におけるオブジェクト制御選択手段であり、ＣＰＵ１１が画面表示手段、オブジェクト表示手段、位置記憶手段として機能し、タッチパネル１６がこの発明における選択手段及び移動手段である。また、ＣＰＵ１１は、イベント発生手段及び再現手段としても機能する。
【００１２】
また、画面２１には固有の番号である画面ＩＤ例えばＡ１１、操作器２３，２４には操作器ＩＤ例えばＢ１１，Ｂ１２、制御器２６，２７には固有の番号である制御器ＩＤ例えばＣ１１，Ｃ１２が割り振られている。操作器２３の操作ボタン２３ａ，２３ｂ（入、切）及び制御器２６の操作ボタン２６ａ，２６ｂ（△，▽）に対しては、固有の番号である線番ＩＤとしてＤ１１，Ｄ１２，Ｄ１３，Ｄ１４が割り振られている。なお、操作器２４、制御器２７の操作ボタンについても、図示していないが、同様に線番ＩＤが割り振られている。
【００１３】
次に動作について説明する。表示デバイス１５において、図２に示す前画面３１において画面番号２１を呼び出すボタン３１ａにタッチパネル１６を介してタッチすることにより画面２１（画面ＩＤ：Ａ１１）を選択（リクエスト）すると、ＣＰＵ１１は画面２１に対応する画面ＩＤ、及びそのときの時刻をシステム時計１２より取得し、ＤＩＳＫ１３に時刻、画面ＩＤ、及びイベントしての操作内容（この場合は画面リクエスト）を画面操作記録ファイル１３ａに記録してＤＩＳＫ装置１３に保存する。
【００１４】
次に、画面２１に第２のオブジェクトとしての操作器２３をポップアップして表示する場合、図３において、第１のオブジェクトとしての操作器リクエストボタン２２を押すと操作器２３がポップアップして表示され、操作器リクエストボタン２２を押した時点で、画面ＩＤ、操作器ＩＤ、及びそのときの時刻を画面操作記録ファイル１３ａに記録してＤＩＳＫ装置１３に保存する。第２のオブジェクトである操作器２３の操作ボタンの「入」、「切」を操作した場合、画面ＩＤ、該当する線番ＩＤ、そのときの時刻を画面操作記録ファイル１３ａに記録してＤＩＳＫ装置１３に保存する。この画面操作記録ファイルは、図６（ａ）のファイル構成４１に示すように構成されている。なお、操作器２３の操作ボタンの「入」、「切」を操作した場合、当該操作ボタンに対応したイベントである例えば開閉器の「入」または「切」のイベントが発生する。
【００１５】
制御器２６においても同様であり、図３に示すように、画面２１において第１のオブジェクトとしての制御器リクエストボタン２５を押すと制御器２６がポップアップして表示され、画面２１の制御器リクエストボタン２５を押した時点で、画面ＩＤ、制御器ＩＤ、及びそのときの時刻を画面操作記録ファイル１３ａに記録してＤＩＳＫ装置１３に保存する。第２のオブジェクトであるポップアップされた制御器２６の操作ボタン２６ａ，２６ｂ（△，▽）を操作した場合、画面ＩＤ、該当する線番ＩＤ、そのときの時刻を画面操作記録ファイル１３ａに記録してＤＩＳＫ装置１３に保存する。この画面操作記録ファイルは、図６（ｂ）のファイル構成に示すように構成されている。なお、ポップアップされた制御器２６の操作ボタン２６ａ，２６ｂ（△，▽）を操作した場合、当該操作ボタンに対応したイベントであるプロセス量の「増」または「減」のイベントが発生する。また、別の画面をリクエストした場合は、図６（ｃ）のファイル構成４３に示すような構成の画面操作記録ファイルとなる。
【００１６】
また、画面上に多数のオブジェクトが表示され、これらが重なって操作に不便を感じる場合などには、ポップアップされたオブジェクトを他の位置に移動させると好都合である。このような場合は、図４、図５に示すように表示デバイス１５に表示された操作器２２、制御器２４をタッチパネル１６にタッチしてドラッグすることによりその位置を移動する。この場合においても、同様に操作器２２、制御器２４などのオブジェクトの移動が終了した時点で、該当するオブジェクトの移動が終了した時刻、画面ＩＤ、オブジェクト（操作器、制御器）ＩＤ、移動した位置を画面操作記録ファイル１３ａに記録してＤＩＳＫ装置１３に保存する。移動された操作器２２や制御器２６が奏された場合も、同様に画面ＩＤ、該当する線番ＩＤ、そのときの時刻を画面操作記録ファイル１３ａに記録してＤＩＳＫ装置１３に保存する。
なお、ＣＰＵ１１により、必要に応じて画面操作記録ファイル１３ａを読み出して、画面の選択過程や、操作器や制御器の操作の過程すなわちイベントの発生過程を再現することができる。
【００１７】
このように画面、操作器、制御器に固有のＩＤ番号を持たせておけば、ポップアップして表示されたオブジェクトのみならず、図４、図５に示すように画面上の当該オブジェクトの位置が移動する場合においても、操作の過程を確実に記録し、再現することができる。なお、図５に示すようにリクエストすべき画面番号のリクエストボタン３１ａ，３１ｂ，３１ｃの表示位置が図５（ａ）から図５（ｂ）のように変化する場合でも、画面２１〜２３に対して固有のＩＤ番号Ａ１１〜Ａ１３を持たせているため、同様に再現することができる。
【００１８】
図７は、図１の変形例であるプラント用計算機装置の構成を示すものであり、図１におけるタッチパネル１６の代わりに、マウス１７により画面を操作するようにしたものである。動作については、タッチ操作の代わりにマウスによるドラッグやクリック操作を行うだけであり、同様に操作の過程の記録及び再現を行うことができる。
【００１９】
実施の形態２．
図８〜１０は、この発明の実施の形態２を示すものであり、図８はプラント用計算機装置の構成を示す構成図、図９は変形例であるプラント用計算機装置の構成を示す構成図、図１０は操作記録ファイルの構成を示す構成図である。実施の形態１に対し、タッチ操作ならば図８に示すように一つのプラント用計算機１０に対し表示デバイス１８及びタッチパネル１９を追加し、マウス操作ならば図９に示すように表示デバイス２０、マウス２１を追加したものである。なお、図８において、ＣＰＵ１１は表示デイバス１５，１８に対して表示デバイス１５，１８固有の番号であるデバイスＩＤ例えばＥ１１，Ｅ１２を割り振る仕組みを備えている。図９におけるＣＰＵ１１においても、同様である。
【００２０】
次に動作について説明する。図８のプラント用計算機装置において、実施の形態１と同様の操作した場合、ＣＰＵ１１では、どのタッチパネル１６，１９からの信号であるかを認識し、当該タッチパネルのデイバスＩＤを画面操作記録ファイル１３ａに記録してＤＩＳＫ装置１３に保存する。また、時刻、画面／操作器／制御器／線番の各ＩＤ、及び操作内容が、実施の形態１と同様に保存される。図１０に、この場合の操作記録ファイルの構成を示す。これにより、２つ以上の表示デバイスで同時に操作したとしても、どのタッチパネルで操作したものかが分かるため、それぞれのタッチパネルに対して再現可能となる。図９に示したプラント用計算機装置においても同様である。以上のように、複数台の表示装置を有する場合においても、同様に操作の過程が再現可能なプラント用計算機装置を得ることができる。
【００２１】
なお、上記では、選択手段あるいは移動手段として、タッチパネル１６，１９やマウス１７，２１を用いるものを示したが、この両者を併用してもよい。
【図面の簡単な説明】
【００２２】
【図１】この発明の実施の形態１であるプラント用計算機装置の構成を示す構成図である。
【図２】画面リクエストボタンの位置が変化する場合の画面を示す説明図である。
【図３】操作用の画面を示す説明図である。
【図４】操作器ポップアップ画面の移動イメージを示す説明図である。
【図５】制御器ポップアップ画面の移動イメージを示す説明図である。
【図６】操作記録ファイルの構成を示す構成図である。
【図７】図１のプラント用計算機装置の変形例であるプラント用計算機装置の構成を示す構成図である。
【図８】実施の形態２であるプラント用計算機装置の構成を示す構成図である。
【図９】図８のプラント用計算機装置の変形例であるプラント用計算機装置の構成を示す構成図である。
【図１０】操作記録ファイルの構成を示す構成図である。
【符号の説明】
【００２３】
１０  プラント用計算機、１１  ＣＰＵ、１２  システム時計、１３  ＤＩＳＫ装置、
１５，１８，２０  表示デバイス、１６，１９  タッチパネル、１７，２１  マウス、
２１  画面，操作器リクエストボタン、２２，２３  操作器，制御器リクエストボタン、
２６  制御器、３１ａ〜３１ｃ  ボタン。
【図１】
2009295020.tif 000003
【図２】
2009295020.tif 000004
【図３】
2009295020.tif 000005
【図４】
2009295020.tif 000006
【図５】
2009295020.tif 000007
【図６】
2009295020.tif 000008
【図７】
2009295020.tif 000009
【図８】
2009295020.tif 000010
【図９】
2009295020.tif 000011
【図１０】
2009295020.tif 000012